(57)【要約】  骨格（１０４）と、骨格表面（１０８）とを有する睫毛エクステンションシステム（１００）と共に使用するためのアプリケータ（２００）。複数個の睫毛エクステンション（１０２）は、該骨格に取り付けられる。該アプリケータは、該骨格表面に面するクロージャ表面（１１０）を有するクロージャ（１０６）と、それぞれのクリップが第１の腕（２５４）と、第２の腕（２５６）と、該第１の腕及び該第２の腕に取り付けられる枢支部（２５８）とを含む、一対のクリップ（２５０、２５２）とを有する。第１のホルダ（２７０）は、該骨格を該第１の腕に解放可能に取り付けるように、該第１の腕のそれぞれに取り付けられる。更に、該クロージャを該第２の腕に解放可能に取り付けるように、該第２の腕のそれぞれに取り付けられる第２のホルダ（２７２）が存在する。該第１及び第２の腕は、該第１及び第２の腕が互いに対して離間する第１の状態と、該第１及び第２の腕が互いに隣接する第２の状態との間で移動可能である。
2011500979.tif 000002
【特許請求の範囲】
【請求項１】
骨格表面（１０８）を有する骨格（１０４）と、前記骨格（１０４）に取り付けられ、それに従属する複数個の睫毛エクステンション（１０２）と、前記骨格表面（１０８）に面するクロージャ表面（１１０）を有するクロージャ（１０６）とを備える、睫毛エクステンションシステム（１００）と共に使用するためのアプリケータ（２００）であって、前記アプリケータ（１００）が、
それぞれのクリップ（２５０、２５２）が、第１の腕（２５４）と、第２の腕（２５６）と、前記第１の腕（２５４）及び前記第２の腕（２５６）に取り付けられる枢支部（２５８）とを含む、一対のクリップ（２５０、２５２）と、
前記骨格（１０４）を前記第１の腕（２５４）に解放可能に取り付けるように、前記第１の腕（２５４）のそれぞれに取り付けられる、第１のホルダ（２７０）と、
前記クロージャ（１０６）を前記第２の腕（２５６）に解放可能に取り付けるように、前記第２の腕（２５６）のそれぞれに取り付けられる、第２のホルダ（２７２）と、を備え、
前記第１の腕（２５４）及び第２の腕（２５６）が、前記第１の腕（２５４）及び第２の腕（２５６）が互いに対して離間する第１の状態と、前記第１の腕（２５４）及び第２の腕（２５６）が互いに隣接する第２の状態との間で移動可能である、アプリケータ（２００）。
【請求項２】
骨格表面（１０８）を有する骨格（１０４）と、前記骨格（１０４）に取り付けられ、それに従属する複数個の睫毛エクステンション（１０２）と、前記骨格表面（１０８）に面するクロージャ表面（１１０）を有するクロージャ（１０６）とを備える、睫毛エクステンションシステム（１００）と共に使用するためのアプリケータ（３００）であって、前記アプリケータ（１００）が、
第１のホルダ（３７０）を有するフレーム（３４０）と、
前記フレーム（３４０）に取り付けられるトラック（３４４）と、
第２のホルダ（３７２）を有し、前記第１のホルダ（３７０）及び第２の（３７２）ホルダが離間する第１の位置と、前記第１のホルダ（３７０）及び第２のホルダ（３７２）が隣接する第２の位置との間で前記トラック（３４４）に沿って移動するために、前記トラック（３４４）に移動可能に装着される、キャリア（３４２）と、を備え、
前記骨格（１０４）が、前記第１のホルダ（３７０）及び前記第２のホルダ（３７２）のうちの一方の上に配置され、前記クロージャ（１０６）が、前記第１のホルダ（３７０）及び前記第２のホルダ（３７２）のうちの他方の上に配置される、アプリケータ（３００）。
【請求項３】
骨格表面（４０８）を有する骨格（４０４）と、前記骨格（４０４）に取り付けられ、それに従属する複数個の睫毛エクステンション（４０２）と、前記骨格表面（４０８）に面するクロージャ表面（４１０）を有するクロージャ（４０６）とを備える、睫毛エクステンションシステム（４００）と共に使用するためのアプリケータ（５００）であって、前記アプリケータ（５００）が、
第１の末端部（５７１）と、前記第１の末端部（５７１）から横方向に離間する第２の末端部（５７３）とを有するホルダ（５７０）を有するフレーム（５４０）と、
前記フレーム（５４０）に取り付けられるトラック（５４４）と、
前記ホルダ（５７０）と協動するカム表面（５４９）を有し、前記ホルダ（５７０）に沿って前記第１の末端部（５７１）から前記第２の末端部（５７３）に移動するために、前記トラック（５４４）に移動可能に装着される、カム（５４８）と、を備え、
前記カム（５４８）の前記ホルダ（５７０）に対する前記移動が、前記カム（５４８）が前記ホルダ（５７０）に沿って前記第１の末端部（５７１）から前記第２の末端部（５７３）に移動する際に、前記骨格（４０４）を前記クロージャ（４０６）の方向に移動させる、アプリケータ（５００）。
【請求項４】
第１の末端部（６１４）と、第２の末端部（６１６）と、前記第１の末端部（６１４）と第２の末端部（６１６）との間に延在する骨格表面（６０８）とを有する骨格（６０４）と、前記骨格（６０４）に取り付けられ、それに従属する複数個の睫毛エクステンション（６０２）と、第１の末端部（６１８）と、第２の末端部（６２０）と、前記第１の末端部（６１８）と第２の末端部（６２０）との間に延在するクロージャ表面（６１０）とを有するクロージャ（６０６）であって、前記第１の末端部（６１４、６１６）のみで前記骨格（６０４）に取り付けられるクロージャ（６１０）とを備える、睫毛エクステンションシステム（６００）と共に使用するためのアプリケータ（７００）であって、前記アプリケータ（７００）が、
第１の末端部（７７１）と、前記第１の末端部（７７１）から横方向に離間する第２の末端部（７７３）とを有するホルダ（７７０）を有するフレーム（７４０）と、
内部空間と連通している開放点（７９８）を有するウェッジ（７９０）と、を備え、
前記ウェッジ（７９０）は、前記開放点（７９８）が前記ホルダ（７７０）の前記第１の末端部（７７１）と整合する第１の位置と、前記開放点（７９８）が前記ホルダ（７７０）の前記第２の末端部（７７３）と整合する第２の位置との間で移動可能に前記フレーム（７４０）に装着される、アプリケータ（７００）。
【発明の詳細な説明】
【技術分野】
【０００１】
本開示は、睫毛エクステンションの適用に関し、より具体的には、グループとして複数個の睫毛エクステンションを適用するための方法及び器具に関する。
【背景技術】
【０００２】
多くの人は、自分の睫毛の見た目に不満足である。彼らは、より良いカール、色、豊かさ、長さ等の睫毛を好み得る。これらの特徴を改善するために、マスカラ等の化粧品が入手可能である一方、ある人は、依然として、マスカラ単体を使用することによって可能なレベルより更に一層向上させることを好み得る。
【発明の概要】
【発明が解決しようとする課題】
【０００３】
付け睫毛は、かなり以前から存在し、使用されている。付け睫毛は、瞼に適用され、着用者がより優れたカール、色、豊かさ、長さ等の睫毛を有するように見せることによって、着用者の外観を向上し得る。しかしながら、また、付け睫毛は、適用が高度の精度を用いて行われない場合に、ユーザーが１組を超える睫毛を有するように見せる場合がある。この精密度を得ることは、熟達したユーザーにとってでさえ困難な作業である。
【課題を解決するための手段】
【０００４】
あるいは、ある人は、睫毛エクステンションを試みる場合がある。付け睫毛とは異なり、睫毛エクステンションは、瞼の代わりに睫毛に直接適用される。結果として、ユーザーが１組を超える睫毛を有するようには見えず、むしろより長い、より曲線の、より濃い、より豊かな睫毛に見える。この解決策には、欠点もある。現在のところ、睫毛エクステンションは、既存の睫毛に１本ずつ適用される。結果として、プロセスは手間が掛かり、高度な技術による適用が要求され、高価である。プロセスは、容易に自己適用に適応させることができないため、エクステンションは、通常、サロン環境で適用され、睫毛が抜け落ちる際、「維持」訪問を繰り返す必要があり得る。また、睫毛エクステンションは、１対１の比率で既存の睫毛に適用されるため、睫毛の本数に問題のある人の場合、エクステンションは、状況をそれ程改善しない。
【図面の簡単な説明】
【０００５】
本明細書は、本発明と見なされる主題を具体的に指摘しかつ明確に主張する特許請求の範囲で完結するが、本発明は、添付図面と併せてなされる以下の説明から、更に十分に理解されると考えられている。一部の図面は、他の要素をより明らかに示すため、選択された要素を省略することで簡略化されている場合がある。一部の図面におけるこうした要素の省略は、対応する書面による明細書の中で明確に記述されている場合を除き、代表的実施形態のいずれかにおける特定要素の有無を必ずしも示すものではない。いずれの図面も必ずしも縮尺どおりではない。
【図１】一組の睫毛に適用される、睫毛エクステンションシステムの斜視図。
【図２】例えば、図１の睫毛エクステンションシステムと共に使用される睫毛エクステンションアプリケータであって、一対のクリップを含む、アプリケータの斜視図。
【図３Ａ】例えば、図１の睫毛エクステンションシステムと共に使用される睫毛エクステンションアプリケータであって、開いた状態にある平行移動キャリアを含む、アプリケータの斜視図。
【図３Ｂ】平行移動キャリアが閉じた状態にある、図３Ａのアプリケータの部分拡大斜視図。
【図４Ａ】一組の睫毛に適用される別の睫毛エクステンションシステムであって、開いた状態にある、システムの斜視図。
【図４Ｂ】中間状態にある、図４Ａのシステムの斜視図。
【図４Ｃ】閉じた状態にある、図４Ａのシステムの斜視図。
【図５Ａ】例えば、図４Ａ〜図４Ｃの睫毛エクステンションシステムと共に使用される睫毛エクステンションアプリケータであって、第１の位置にあるカムを含む、アプリケータの斜視図。
【図５Ｂ】カムが、第１の位置から横方向に離間する第２の位置にある、図５Ａのアプリケータの斜視図。
【図６】一組の睫毛に適用される更に別の睫毛エクステンションシステムであって、開いた状態にある、システムの斜視図。
【図７Ａ】例えば、図６の睫毛エクステンションシステムと共に使用される睫毛エクステンションアプリケータであって、角度の付いた、開いたウェッジを有するツールを含む、アプリケータの斜視図。
【図７Ｂ】骨格をクロージャから離間するために、角度の付いた、開いたウェッジをシステム内に有する、図７Ａのアプリケータの斜視図。
【図８】一組の睫毛に適用される、別の睫毛エクステンションシステムの平面図。
【図９Ａ】例えば、図８の睫毛エクステンションシステムと共に使用される睫毛エクステンションアプリケータであって、開いた状態にあるプレスを含む、アプリケータの側面図。
【図９Ｂ】プレスが閉じた状態にある、図９Ａのアプリケータの側面図。
【図１０】例えば、図８の睫毛エクステンションシステムと共に使用される、別の睫毛エクステンションアプリケータの側面図。
【図１１Ａ】閉じた状態にある、睫毛エクステンションシステムの側面図。
【図１１Ｂ】開いた状態にある、図１１Ａの睫毛エクステンションシステムの斜視図。
【図１２Ａ】例えば、図１１Ａの睫毛エクステンションシステムと共に使用される睫毛エクステンションアプリケータであって、睫毛エクステンションシステムが閉じた状態になるように配置された、アプリケータの側面図。
【図１２Ｂ】アプリケータが睫毛エクステンションシステムを開いた状態に保持する、図１２Ａのアプリケータの側面図。
【図１３Ａ】システムの向き合う表面間に睫毛が配置された、閉じた状態にある、図１１Ａの睫毛エクステンションシステムの部分断面図。
【図１３Ｂ】ボックスが睫毛から離され、エクステンションが睫毛に取り付けられた、閉じた状態にある、図１１Ａの睫毛エクステンションシステムの部分断面図。
【図１４】光源を含む、睫毛エクステンションアプリケータの斜視図。
【図１５Ａ】アプリケータの表面が鏡面化される、睫毛エクステンションアプリケータの斜視図。
【図１５Ｂ】追加の鏡面と組み合わせた、図１５Ａの睫毛エクステンションアプリケータの概略図。
【発明を実施するための形態】
【０００６】
用語「取り付けられる」は、要素を互いに取り付けるのに適したいずれかの方法によって、接着、締結、固着等によって、要素が接続又は一体化されることを指す。接着剤による固着、機械的締結等を含む、要素を互いに取り付けるのに適した多くの方法が周知である。かかる取り付け方法は、特定の領域で連続的又は断続的に要素を互いに取り付けるために使用され得る。
【０００７】
用語「連結される」は、要素を別の要素に直接取り付けることによって、要素が他方の要素に直接固定される構成、並びに、要素を中間部材（１つ又は複数）に取り付け、それが次に別の要素に取り付けられることによって、要素が他方の要素に間接的に固定される構成を指す。
【０００８】
用語「配置される」は、要素（１つ若しくは複数）が、他の要素との一体構造体として、又は他の要素に連結された別個の要素として、特定の場所若しくは位置に存在することを意味するのに使用される。
【０００９】
用語「有効径」は、断面に関係する寸法を指す。円形断面に関しては、有効径は、断面の直径である。非円形断面では、有効径は、説明するのがより困難であり得る。しかしながら、有効径が計算され得る一方法は、断面積を４倍したものを円周率で除算したものの平方根である。
【００１０】
これらの用語は、明細書の残りの部分において更なる専門用語により定義される場合がある。
【００１１】
特定の図面は、異なる睫毛エクステンションシステムを図示し、一方、他の図面は、睫毛エクステンションを適用するための異なるアプリケータを図示し、アプリケータは、図示される睫毛エクステンションシステムの１つ以上と共に動作可能であり得る。類似部分には同様の様態で番号を付すようにしているが、そのような方式を厳密に順守することは、実際には常に可能なわけではない。更に、特定のシステム又はアプリケータに関して、提示は、これらのシステム及びアプリケータの特定の属性を記載する場合がある一方、一システムに関連する記載の大部分は、他のシステムに適用可能であり、一アプリケータ又はその使用方法に関連する記載の大部分は、他のアプリケータ及びそれらの使用方法に適用可能であることが理解される。
【００１２】
始めに、図１は、骨格１０４に取り付けられ、それに従属する複数個の睫毛エクステンション１０２を含む、睫毛エクステンションシステム１００を図示する。また、システム１００は、クロージャ１０６を含む。骨格１０４は、骨格表面１０８を有し、クロージャ１０６は、クロージャ表面１１０を有する。クロージャ１０６は、図示されるように、クロージャ表面１１０の少なくとも一部が骨格表面１０８から離間する、第１の状態を有する。図示されるように、クロージャ表面１１０全体が、骨格表面１０８から離間する。また、クロージャ１０６は、クロージャ表面１１０の一部が骨格表面１０８に隣接する（図２、図３Ｂを参照）、第２の状態も有する。
【００１３】
一組の睫毛が、クロージャ１０６が第１の状態にある時に骨格表面１０８とクロージャ表面１１０との間に画定される空間１１２内に定置される場合、睫毛の少なくとも幾つかは、クロージャ１０６が第１の状態から第２の状態に移動する際に表面１０８と表面１１０との間に配置されることが理解される。表面１０８と表面１１０との間に配置される睫毛は、様々な異なる取り付け機構によって、それらの間に保持され得る。表面１０８と表面１１０との間への取り付けの性質は、表面１０８と表面１１０との間から睫毛を剥がす能力を制限し得、睫毛の表面１０８、１１０のいずれか又は両方との相互作用もまた同様であり得る。
【００１４】
睫毛エクステンション１０２、骨格１０４、クロージャ１０６、エクステンション１０２を骨格１０４に取り付けるために使用される機構、及びシステム１００又はその一部をユーザーの睫毛に取り付けるために使用される機構の構造並びに組成物には、相当の多様性があることが理解される。以下は、エクステンション１０２、骨格１０４、クロージャ１０６、及び取り付け機構に関して考えられる変形の一部の一覧である。この一覧は、例示的かつ非制限的であることが意図される。更に、本記載の大部分は、一般に、以下に説明される他の睫毛エクステンションシステムに適用可能である。
【００１５】
エクステンション１０２に関して、エクステンション１０２は、ヒトを含む動物、又は植物（例えば、綿）からの生体材料から作製されてもよい。より具体的には、エクステンション１０２は、睫毛等の動物からの角質材料から作製されてもよいが、毛髪、毛皮、羽毛、羊毛、及び絹も使用され得る。また、エクステンション１０２は、ナイロン、ポリエステル等を含む合成材料から作製されてもよい。特に、合成繊維は、システム１００で使用するのに特に好適であり得る。また、エクステンション１０２は、エクステンション１０２に特異的特性を与えるために芯／殻皮又は層状断面設計を使用する機会を提供する複合材料で作製されてもよい。本手法は、機能性の分離を可能にする。例えば、複合物の一材料は、その構造特性で選択することができ、複合物の追加材料は、所望の相転移、電磁、表面エネルギー、光屈折度、又は他の付加価値特性で選択されてもよい。
【００１６】
エクステンション１０２の形状、色、有効径、長さ、湾曲、及び密度は、様々であり得る。一システムに含まれるエクステンションと別のシステムに含まれるものとの間に差異が存在し得る。しかしながら、ある特定のシステムに含まれる個々のエクステンション間に、又は更には、ある特定のシステム内のある個々の睫毛エクステンション内に差異が存在し得る。例えば、特定のシステムの１つのアイテムに、例えば、複数の長さが使用され得る。
【００１７】
形状について、エクステンション１０２は、概して円形の中実断面を有してもよく、エクステンション１０２の一方の末端部から他方の末端部に向かって先細になっていてもよい。しかしながら、エクステンション１０２が楕円形断面等の非円形断面を有することも可能である。あるいは、断面は、三角形、長方形等の多角形、又は十字形、三日月形、若しくは星形等のより複雑な形状であってもよい。更なる関心断面は、１つの軸における寸法が第２の軸の寸法の少なくとも１５倍であるように、事実上平らに見えてもよい。また、中実の代わりに、断面を中空又は管状にすることも可能である。更に、エクステンション１０２は、エクステンション１０２の一方の末端部から他方の末端部まで、ほぼ一定の有効径を有してもよく、又は有効径は、先細以外の様態で変化してもよい。
【００１８】
更に、一組の睫毛に適用されるエクステンションの複数の色及び角度特性を可能にすることが望ましい。
【００１９】
有効径について、慣例を採用してもよく、この特徴は、例えば、エクステンションに沿う特定の点での有効径、エクステンションの最大有効径、又はエクステンションに沿う複数個の点の有効径の平均に関連して記載される。採用される慣例に関わらず、多様な寸法が使用され得る。例えば、エクステンション１０２は、約０．０１ｍｍ〜約２．０ｍｍの範囲の平均有効径を有し得る。他の実施形態によると、エクステンション１０２は、約０．０３ｍｍ〜約１．０ｍｍの範囲の平均有効径を有し得る。特定の実施形態によると、エクステンション１０２は、約０．０３ｍｍ〜約０．７０ｍｍの範囲の平均有効径を有し得る。
【００２０】
また、長さ（末端部から末端部で測定される）について、多様な長さが使用され得る。例えば、エクステンション１０２は、約１．０ｍｍ〜約３０．０ｍｍの範囲の長さを有し得る。他の実施形態によると、エクステンション１０２は、約２．０ｍｍ〜約２０．０ｍｍの範囲の長さを有し得る。特定の実施形態によると、エクステンション１０２は、約３．０ｍｍ〜約１５．０ｍｍの範囲の長さを有し得る。
【００２１】
また、湾曲の角度について、これが画定される、様々な慣例が存在し得る。一例として、エクステンションの末端部に対して接線方向の線の交点によって形成される角度の観点から湾曲の角度を記載する場合がある。この場合もやはり、幅広い範囲が使用され得る。例えば、エクステンション１０２は、約３〜約１８０度の範囲の湾曲の角度を有し得る。他の実施形態によると、エクステンション１０２は、約３０〜約１７０度の範囲の角度を有し得る。特定の実施形態によると、エクステンション１０２は、約４５〜約１６０度の範囲の角度を有し得る。
【００２２】
骨格１０４及びクロージャ１０６に関して、いずれかは、材料の薄いストリップ、繊維等の形態であってもよい。エクステンション１０２と同様に、骨格１０４及びクロージャ１０６は、生体材料又は合成材料で作製されてもよい。事実、骨格１０４及び／又はクロージャ１０６は、エクステンション１０２をユーザーの睫毛に取り付けた後に、骨格１０４及び／又はクロージャ１０６が溶解される、ないしは別の方法で除去される材料で作製されてもよい。一実施形態では、骨格１０４及びクロージャ１０６は、水溶性材料で作製されてもよく、一方、エクステンション１０２及びエクステンション１０２を睫毛に取り付けるためにそれに適用される接着剤は、非水溶性であってもよい。例えば、エクステンション１０２が睫毛に取り付けられるように、骨格１０４及びクロージャ１０６を使用してエクステンション１０２を睫毛に対して定置した後、骨格１０４及びクロージャ１０６を除去（溶解）するために、水が適用される。他の実施形態によると、骨格１０４及びクロージャ１０６は、骨格１０４及びクロージャ１０６が、通常の使用条件中に溶解ないしは別の方法で消滅しないように、より耐久性のある材料で作製されてもよい。
【００２３】
測定される骨格１０４及びクロージャ１０６の長さは、本開示に従って様々であり得る。例えば、骨格１０４及びクロージャ１０６は、平均瞼長さを有するユーザーを適用範囲とするように設計された長さに製造されてもよい。あるいは、骨格１０４及びクロージャ１０６は、所望の適用範囲を提供するためにユーザーによって的確な長さに切断及び／又は切り取られることが意図される、ユーザーの瞼の長さと一致する場合も、一致しない場合もある長さに製造されてもよい。更なる代替手段として、骨格１０４及びクロージャ１０６は、瞼の一方の末端部から他方の末端部までの適用範囲を可能にすると見込まれ得る長さより短く製造されてもよい。かかる一実施形態によると、１つの瞼及び関連する睫毛の適用範囲を提供するために、骨格１０４及びクロージャ１０６の２つ、３つ、又はそれ以上の長さが使用されてもよい。
【００２４】
エクステンションの密度について、広い範囲の密度が適切であり得る。エクステンション１０２が骨格１０４に取り付けられるという条件で、骨格にわたる個々のエクステンションの線密度は、好ましくは、骨格の直線１ｃｍ当たり約５〜１５０エクステンションである。より好ましくは、エクステンション１０２の線密度は、骨格１０４の直線１ｃｍ当たり約１０〜１００エクステンションである。
【００２５】
エクステンション１０２と骨格１０４との間の取り付け機構は、エクステンション１０２及び骨格１０４の性質、並びに骨格１０４の厚さに従って、様々であり得る。例えば、骨格１０４の厚さが十分である場合、エクステンション１０２は、少なくとも部分的に骨格１０４内に配置されるか、又は埋め込まれてもよい。これは、例えば、骨格１０４をエクステンション１０２の末端部の周囲に鋳造することによって達成され得る。あるいは、骨格１０４の厚さが、エクステンション１０２の有効径を大幅に超える場合、エクステンション１０２は、エクステンション１０２及び骨格１０４を形成するために使用される材料と適合性のある接着剤を使用して、骨格１０４の表面に取り付けられてもよい。エクステンション１０２を骨格１０４に取り付ける更に別の手段は、結ぶ又は編むことによるものである。更に、合成エクステンション１０２又は骨格１０４では、熱、又は圧力を使用して、若しくは使用せずに相変態を引き起こす他の手段を使用することによる点溶接手段が、特に効果的であり得る。
【００２６】
また、睫毛エクステンションシステム１００又はその一部と、ユーザーの睫毛との間の取り付け機構も様々であり得る。上述されるように、接着剤が使用されてもよい。接着剤は、表面１０８、１１０を互いに取り付け、それによって睫毛が表面１０８と表面１１０との間から剥がれるのを制限し得る。また、表面１０８、１１０の一方又は両方に適用される接着剤は、睫毛を表面１０８、１１０の一方又は両方に取り付け、それによって睫毛が表面１０８と表面１１０との間から剥がれるのを更に制限する。あるいは、接着剤は、睫毛を表面１０８、１１０のいずれかに取り付けることなく、表面１０８、１１０を取り付けるように選択されてもよい。したがって、接着剤の選択は、睫毛に加えて、エクステンション１０２、骨格１０４、及び／又はクロージャ１０６に使用される材料によって影響される。この点において、エクステンション１０２は、付け睫毛の代用品として地睫毛と共に使用されることが意図される一方、人工睫毛とも共に使用され得ることに留意されたい。
【００２７】
接着剤には、非限定的な例として、ラテックス接着剤、溶剤型接着剤、感圧性接着剤（ＰＳＡ）、及び熱溶解接着剤が挙げられ得る。後者種類の使用には、適用時又はその前後で、ある程度の熱が必要となる。二液型接着剤（エポキシのような）が使用される一実施形態では、接着剤の一成分は、一方の表面１０８、１１０に適用されてもよく、もう１つの成分は、他方の表面１０８、１１０に適用されてもよい。
【００２８】
別の代替手段は、フックアンドループ取り付け機構を使用することであり得る。例えば、フック材料は、骨格表面１０８及びクロージャ表面１１０のうちの一方に取り付けられてもよく、一方、ループ材料は、骨格表面１０８及びクロージャ表面１１０のうちの他方に取り付けられてもよい。表面１０８、１１０が互いに隣接することによって、骨格１０４及びクロージャ１０６の一方、又は両方に印加される圧力が、フック材料のフックがループ材料のループにもつれるのを促進し得る。フックは、代わりにボタン形状の末端部内で終点する突起であってもよく、ループは、閉じている必要はないことが理解される。また、本実施形態に適用可能であるフックアンドループ取り付け機構の他の変形も理解される。
【００２９】
更に、取り付け機構として、相転移材料が使用されてもよい。これらの相変化材料は、流体状態と固体又は半固体状態との間で転移し得、流体状態は、様々な粘度を有し得る。例えば、材料は、脂肪材料又は合成炭化水素類から形成され得るもの等のワックスであってもよい。かかる場合では、ワックス骨格は、取り付け機構も画定し得、熱の適用を受けて分散し得る。あるいは、材料は、流体と接触して膨張するジェルであってもよい。また、相変化を促進するための機構は、様々であり得、温度、電磁放射線、水分、及び超音波振動を含み得る。電磁放射線に関して、これは、可視光線等級に限定されず、赤外線及び紫外線等の全ての波長を含み得る。
【００３０】
更に別の代替手段として、骨格１０４及びクロージャ１０６は、磁場によって互いに連結されてもよい。すなわち、骨格１０４及びクロージャ１０６は、少なくとも一部において、２つの物体間、２つの磁石間、又は磁石と鉄等の中程度若しくは高程度の透磁率を有する材料との間等の磁気力によって、互いに連結されてもよい。かかる実施形態によると、骨格１０４、クロージャ１０６、若しくは両方は、全体又は一部が、磁気連結を提供する材料で作製され得る。すなわち、骨格１０４は、例えば、全体が磁気連結を提供する材料で作製される必要はないが、代わりに、骨格１０４は、他の材料の粒子が埋め込まれたプラスチック材料で作製されてもよい。
【００３１】
図２は、例えば、図１のシステムと共に使用される、アプリケータ２００の第１の実施形態を図示する。アプリケータ２００は、一対の使い捨てクリップ２５０、２５２を含む。クリップ２５０のそれぞれは、第１の腕２５４と、第２の腕２５６と、第１の末端部２６０で第１の腕２５４に、及び第２の末端部２６２で第２の腕２５６に取り付けられる枢支部２５８とを含む。枢支部２５８は、図示されるようなリビングヒンジの形態であってもよく、又は１つ以上の要素を有してもよい。更に、枢支部２５８は、以下により詳細に説明されるように、腕２５４、２５６を、ある状態又は別の状態に対して偏倚させ得る。
【００３２】
それぞれのクリップ２５０、２５２のそれぞれの腕２５４、２５６は、それに取り付けられるホルダを有する。すなわち、クリップ２５０は、第１の腕２５４及び骨格１０４の第１の末端部１１４に取り付けられる第１のホルダ２７０と、第２の腕２５６及びクロージャ１０６の第１の末端部１１８に取り付けられる第２のホルダ２７２とを含む。同様に、クリップ２５２は、第１の腕２５４及び骨格１０４の第２の末端部１１６に取り付けられる第１のホルダ２７０と、第２の腕２５６及びクロージャ１０６の第２の末端部１２０に取り付けられる第２のホルダ２７２とを含む。
【００３３】
ホルダ２７０、２７２は、クリップ２５０、２５２がシステム１００を定置するために使用された後に、クリップ２５０、２５２の取り外しを可能にするために、骨格１０４及びクロージャ１０６に解放可能に取り付けられてもよい。解放可能な取り付け機構は、ホルダ２７０、２７２を骨格１０４及びクロージャ１０６から離脱するために必要な力が、骨格１０４をクロージャ１０６から離脱するために必要な力より小さくなるように、骨格１０４をクロージャ１０６に取り付けるために使用されるものより弱い強度の接着剤の形態であってもよい。しかしながら、締結具によるフックアンドループ等の機械的締結具を含む、他の取り付け機構が可能であり得る。
【００３４】
腕２５４、２５６は、第１の腕２５４及び第２の腕２５６が互いに対して離間する第１の状態と、第１の腕２５４及び第２の腕２５６が互いに隣接する第２の状態との間で、枢支部２５８を中心に移動可能である。腕２５４、２５６の２つの状態間での移動は、対になった矢印を含むことによって図示される。上述されるように、枢支部２５８は、腕２５４、２５６を２つの状態のうちの１つに偏倚させ得る。
【００３５】
作動中、腕２５４、２５６は、それらのそれぞれのホルダ２７０、２７２で、骨格１０４及びクロージャ１０６に取り付けられる。これは、システム１００の製造業者によって行われてもよく、又はユーザーによって適用の前に行われてもよい。腕２５４、２５６は、初期に、互いから離間した関係に維持される。次いで、アプリケータ２００は、睫毛が骨格１０４とクロージャ１０６との間の空間１１２に依存するように、ユーザーの睫毛に対して設置される。本位置では、骨格１０４及びクロージャ１０６の一方、両方が睫毛の表面に寄り掛かっていてもよく、又はどちらも寄り掛かっていなくてもよい。
【００３６】
腕２５４、２５６を互いに向かって動かして図２に図示される状態を達成するために、腕２５４、２５６の一方又は両方に力が印加されてもよい。腕２５４、２５６を隣接させることによって、少なくとも部分的に、骨格１０４及びクロージャ１０６が、その間に支えられるユーザーの睫毛に接合される。骨格１０４及びクロージャ１０６が確実に互いに取り付けられるように、骨格１０４及びクロージャ１０６に力が印加されてもよく、その後、骨格１０４及びクロージャ１０６をホルダ２７０、２７２から離脱するために、クリップ２５０、２５２の腕２５４、２５６に力が印加されてもよい。クリップは、直ちに廃棄されてもよく、又は追加使用のために保有されてもよい。
【００３７】
図３Ａ及び図３Ｂは、システム１００と共に使用され得る、別のアプリケータ３００を図示する。アプリケータ３００は、フレーム３４０と、キャリア３４２とを含む。フレーム３４０は、それに取り付けられるトラック３４４を有し、場合によっては、取り付けは、フレーム３４０と一体化したトラック３４４を有することを含み得る。図３Ａに図示されるように、トラック３４４は、一対の離間するレール３４６を含む。図３Ａの矢印によって示されるように、キャリア３４２は、図３Ａに図示される第１の位置と図３Ｂに図示される第２の位置との間でトラック３４４に沿って移動するために、トラック３４４に移動可能に装着される。キャリア３４２をトラック３４４に装着するために、キャリア３４２は、Ｕ字形状を有し得る、レール３４６に受容される側面を有してもよく、又はトラック３４６を少なくとも部分的に包囲する側面を有してもよい。
【００３８】
図２のアプリケータ２００のクリップ２５０、２５２と同様に、アプリケータ３００は、第１のホルダ３７０と、第２のホルダ３７２とを含む。図示されるように、第１のホルダ３７０は、フレーム３４０に装着され、第２のホルダ３７２は、キャリア３４２に装着される。フレーム３４０及びキャリア３４２が、フレーム３４０及びキャリア３４２が離間し、次いで接合される、第１及び第２の状態を有することから、結果として、ホルダ３７０、３７２は、第１の位置でキャリア３４２と離間し、第２の位置でキャリア３４２と隣接する。ホルダ３７０、３７２が接合されることによって、また、ホルダ３７０、３７２に装着される骨格１０４及びクロージャ１０６も接合される。
【００３９】
ホルダ３７０、３７２は、骨格１０４及びクロージャ１０６のうちの１つを解放可能に取り付けることが意図される。図示されるように、ホルダ３７０は、骨格１０４に取り付けられ、ホルダ３７２は、クロージャ１０６に取り付けられる。アプリケータ３００の配向は、ホルダ３７０がクロージャ１０６に取り付けられ、ホルダ３７２が骨格１０４に取り付けられるように、反転されてもよいことが理解される。ついでに言えば、アプリケータ３００の下部は、トラック３４６が取り付けられるフレーム３４０を画定し得、アプリケータ３００の上部は、キャリア３４２を画定し得る。また、アプリケータ３００の上部に対するアプリケータ３００の下部に力を印加するというよりは、力は、代わりにアプリケータ３００の上部に印加され得ることが理解される。
【００４０】
また、アプリケータ３００は、図１に図示されるシステム１００以外のシステムと共に使用されてもよい。例えば、代替的なシステム４００が、図４Ａ〜図４Ｃに図示され、ここで、システム４００は、アプリケータ３００と組み合わせて使用され得る。
【００４１】
図４Ａ〜図４Ｃは、骨格４０４に取り付けられる一組の睫毛エクステンション４０２を含む、システム４００を図示する。また、システム４００は、クロージャ４０６も含む。骨格４０４は、骨格表面４０８を有し、クロージャ４０６は、クロージャ表面４１０を有する。表面４０８、４１０は、ユーザーの睫毛を挿入するために、その間に空間４１２を画定する。クロージャは、表面４０８、４１０が離間する第１の状態（図４Ａ）と、表面４０８、４１０が隣接する第２の状態（図４Ｃ）とを有する。
【００４２】
しかしながら、システム１００とは異なり、骨格４０４及びクロージャ４０６は、第１の状態であっても、互いに取り付けられる。より具体的には、ストリップのような骨格４０４は、向き合う、離間した末端部４１４、４１６を有し、ストリップのようなクロージャ４０６は、向き合う、離間した末端部４１８、４２０を有する。末端部４１４、４１８は、末端部４１６、４２０のように互いに取り付けられる。一実施形態によると、骨格４０４及びクロージャ４０６は、幾つかの他の機構によって末端部４１４、４１６、４１８、４２０で取り付けられる別個の部品であってもよいことが理解されるが、末端部４１４、４１８及び４１６、４２０は、一対のリビングヒンジの形態である。
【００４３】
使用中、クロージャ４０６に力が印加され、クロージャ表面４１０の凹面を変化させ、及びプロセス中、表面４０８、４１０を隣接させる。すなわち、クロージャ４０６に対して、又はそれに沿って、ツール若しくは指が適用される際、クロージャ表面４１０の形状は、凹状から凸状に変化し、クロージャ表面４１０は、骨格表面４０８（凹状の形状である）に向かって移動する。図４Ａから図４Ｂ、図４Ｂから図４Ｃに移動が継続する際、初期に表面４０８と表面４１０との間の空間４１２内に配置された睫毛は、表面４０８と表面４１０との間で先細となり、結果として、空間４１２からの剥がれが制限される。睫毛が表面４０８と表面４１０との間から剥がれるのを更に制限するために、接着剤又は別の取り付け機構も使用され得ることが理解される。
【００４４】
アプリケータ３００は、骨格４０４及びクロージャ４０６を互いに対して移動するために必要な力を提供し得ることが理解される。すなわち、かかるシステムの骨格４０４は、ホルダ３７０内に位置してもよく、一方、クロージャ４０６は、ホルダ３７２内に位置してもよい。フレーム３４０に対するキャリア３４２の上方移動は、骨格４０４に対するクロージャ４０６の移動をもたらし得る。キャリア３４２、及び特にホルダ３７２の形状は、例えば骨格表面４０８に対して補完的な形状を有することによって、プロセスを助長するように修正されてもよい。
【００４５】
あるいは、システム４００は、図５Ａ及び図５Ｂに図示されるようなアプリケータ５００と共に使用されてもよい。アプリケータは、フレーム５４０と、フレーム５４０に取り付けられるレール５４６を有するトラック５４４に移動可能に装着される移動可能な要素とを含むという点において、図３Ａ及び図３Ｂのアプリケータと類似する。また、図示されるアプリケータ３００、５００は、移動可能な要素が、トラック３４４、５４４によって画定される平面内を移動するという点において、別の共通点を共有する。これは、アプリケータ３００、５００の全ての実施形態には当てはまらない場合があることが理解される。アプリケータ３００、５００が異なる点は、フレームに対する移動可能な要素の相対運動、及びフレームに取り付けられるホルダ内に配置される睫毛エクステンションシステムに関する。
【００４６】
図５Ａに見られるように、アプリケータ５００は、レール５４６に沿って、アプリケータ３００によって生成されるものと直行する方向に移動可能であるカム５４８を含む。すなわち、ホルダ５７０は、第１の末端部５７１と、第２の末端部５７３とを含む。カム５４８は、例えば、ホルダ５７０の末端部５７１と末端部５７３との間で、レール５４６に沿って第１の末端部５７１から第２の末端部５７３に移動する。カム５４８がホルダ５７０の末端部５７１と末端部５７３との間を移動する際、カム５４８のカム表面５４９は、ホルダ５７０内に位置するシステムと連動するように、ホルダ５７０に対して移動する。
【００４７】
カム表面５４９は、フレーム５４０に対してカム５４８と共に移動し得る一方、カム表面５４９は、カム５４８の残りの部分に対して移動することも可能である。図示される実施形態に関して、カム５４８は、レール５４６に沿って移動する滑走部５５１と、滑走部５５１に取り付けられるピン５５３とを含む。ローラー５５５は、ピン５５３に枢動可能に装着され、カム表面５４９を画定する外側表面を有する。滑走部５５１がトラック５４６に沿って移動する際、カム表面５４９は、ピン５５３によって画定される軸を中心として移動する。したがって、カム表面５４９は、フレーム５４０、及びカム５４８の残りの部分に対して移動する。
【００４８】
システム４００をホルダ５７０内に定置することによって、骨格４０４は、システム４００に対して、上下と言うよりはむしろ側面対側面である運動によって、クロージャ４０６と有利に接触し得ることが理解される。この運動は、カム表面５４９がフレーム５４０に対して移動する際に、骨格４０４の表面４０８及びクロージャ４０６の表面４１０がより確実に接触するようにし得る。
【００４９】
図６は、骨格６０４及びクロージャ６０６が、両方の末端部ではなく、一方の末端部に取り付けられる、別のシステム６００を図示する。正しくは、骨格６０４は、末端部６１４、６１６を有し、クロージャは、末端部６１８、６２０を有し、末端部６１４、６１８のみが取り付けられる。末端部６１６、６２０は、取り付けられず、代わりにクロージャ６０６の第１の状態で初期に互いから離間し得るが、末端部６１６、６２０は、クロージャ６０６の第２の状態で隣接し得る。クロージャ６０６は、取り付けられた末端部６１４、６１８によって形成されるヒンジの動作によって第２の状態に維持されてもよく、又はクロージャ６０６は、ヒンジの動作と組み合わせて、又はその代わりに接着剤を使用することによって、第２の状態に維持されてもよい。骨格６０４及びクロージャ６０６は、睫毛が配置され得る空間６１２を画定する。
【００５０】
システム６００が初期に偏倚される方法によっては、かかるシステム６００は、有利にアプリケータ５００と共に使用され得る。すなわち、システム６００が初期に、図６に示されるもの等の開いた輪郭を有するように末端部６１４、６１８で偏倚される場合、アプリケータ５００の使用は、カム表面５４９がホルダ５７０に沿って側面対側面運動で移動する際に、システム６００を閉じるために有利に使用されてもよい。しかしながら、システム６００を初期に閉じた輪郭に偏倚させることが好ましい場合があり、この目的を達成するために、更なるアプリケータ７００が、図７Ａ及び図７Ｂに図示される。
【００５１】
アプリケータ７００は、フレーム７４０と、フレーム７４０に対して移動するためにフレームに移動可能に装着されるツール７８０とを含む。ツール７８０をフレーム７４０に装着するために、任意の数の機構が使用されてもよいことが理解される。図示されるように、しかしながら、ツール７８０は、腕７８２上に装着され、第１の末端部７８４は、ツール７８０に取り付けられ、第２の末端部７８６は、フレーム７４０に枢動可能に取り付けられる。枢動取り付けがリビングヒンジ７８８の形態である一方、図示されるように、他の多部品ヒンジ、枢支部、及び／又は連結も使用され得ることが理解される。ツール７８０は、フレーム７４０に対して、図７Ａに図示される第１の位置から図７Ｂに図示される第２の位置に移動することができる。
【００５２】
フレーム７４０は、その上に装着されるホルダ７７０を有する。ホルダ７７０は、第１の末端部７７１と、第１の末端部７７１から横方向に離間する第２の末端部７７３とを有する。ツール７８０が図７Ａに図示される位置から図７Ｂに図示される位置に移動する際、ツール７８０は、ホルダ７７０の第１の末端部７７１から第２の末端部７７３に移動する。
【００５３】
ツール７８０は、ウェッジ７９０を含む。ウェッジ７９０は、基部７９２と、ビーム７９６によって結合される傾斜角度７９４とを有する。基部７９２及び角度７９４は、基部７９２及び角度７９４の方向に開いている開放点７９８で交わる。
【００５４】
作動中、ツール７８０がホルダ７７０の第１の末端部７７１に向かって移動する際、ウェッジ７９０は、ホルダ７７０内に配置されるシステム６００と接触する。より具体的には、ウェッジ７９０は、末端部６１６、６２０でシステム６００と接触する。ツール７８０の第２の末端部７７３の方向への移動により、ウェッジ７９０に骨格６０４をクロージャ６０６に対して分離させ、骨格６０４を角度７９４に沿って進める。ツール７８０の運動は、骨格６０４及びクロージャ６０６が、ユーザーが睫毛を開放点７９８に隣接する空間に挿入できるようにするのに十分に離間する点である、ホルダ７７０の第２の末端部７７３で停止する（図７Ｂを参照）。開放点７９８は、所望されるように、ユーザーが睫毛をシステム６００の結合した末端部６１４、６１６に近接して設置できるようにする。ツール７８０が第１の末端部７７１に向かって引かれる際、骨格６０４及びクロージャ６０６が一体となり、睫毛が骨格６０４の表面６０８とクロージャ６０６の表面６１０との間から剥がれるのを制限する。
【００５５】
前述の図面が骨格及びクロージャを有する睫毛エクステンションシステムを取り上げる一方、本開示の特定の実施形態によると、骨格及びクロージャの両方を有する必要はないことが理解される。すなわち、睫毛エクステンションは、骨格に解放可能に取り付けられ、クロージャを使用することなく、骨格と共に、又はそれから睫毛に付着され得る。事実、以下により詳細に説明される特定の実施形態によると、睫毛が骨格又はクロージャに取り付けられないシステムを有することさえ可能である。
【００５６】
図８は、骨格８０４を含むがクロージャを含まない、システム８００の実施形態を図示する。睫毛エクステンション８０２は、上述される多くの機構又は方法のうちの１つを使用して、骨格８０４、より具体的には骨格表面８０８に取り付けられる。エクステンション８０２を表面８０８に取り付けるために使用される機構は、システム８００の使用目的に従って様々であり得る。すなわち、骨格８０４をユーザーの睫毛に接着することを目的とする場合、エクステンション８０２は、骨格８０４によりしっかりと又は固定して取り付けられてもよい。しかしながら、他の実施形態によると、同様に形成されるシステム８００は、骨格８０４を備えないでエクステンション８０２を睫毛に付着するために使用されてもよく、その場合、エクステンションは、骨格８０４に解放可能に取り付けられてもよい。
【００５７】
また、システム８００は、接続具８０１を含んでもよい。接続具８０１は、システム８００をアプリケータに取り付けるために使用される。以下により詳細に説明されるように、システム８００は、システム８００を接続具８０１を介してアプリケータに取り付けることによって、骨格８０４の真下又は直下の構造体なしで支持される。したがって、システム８００は、橋又はハンモックのように、接続具８０１から懸垂される。
【００５８】
システム８００が２つのかかる接続具８０１を含む一方、システム８００は、開示の他の実施形態に従って、他の数の接続具を含むことができることが理解される。システム８００は、１つの接続具を含み、システム８００を、接続具から片持ちにすることさえできる。片持ちにされることが意図されるシステム８００は、２つ以上の接続具間に懸垂される実施形態より剛性の材料が必要とされ得ることが理解されるように、骨格８０４の材料は、使用される接続具の数に従って変化し得る。
【００５９】
図３Ａ〜図３Ｂ及び図５Ａ〜図５Ｂに図示されるアプリケータもシステム５００と共に使用することができるが、システム８００と共に使用するための２つのアプリケータ９００、１０００が図９Ａ〜図９Ｂ及び図１０に図示される。アプリケータ９００、１０００の両方は、システム８００をその間に懸垂させるための接続具８０１と連動する、向き合う構造体を含む。しかしながら、アプリケータ９００は、睫毛及びシステム８００に力を印加するための追加機構を含み、一方、アプリケータ１０００には、この機構がない。
【００６０】
最初に、アプリケータ９００を見ると、アプリケータは、フレーム９４０と、移動可能なプレス９４２とを含む。フレーム９４０は、それに取り付けられるトラック９４４を含み、トラック９４４は、一対のレール９４６を含む。レール９４６は、システム８００の接続具８０１の断面と補完的である、又は嵌合する断面を有する、１つ以上のロッドのような構造体の形態であってもよい。しかしながら、他の実施形態によると、レール９４６の断面を接続具８０１と比較して異なるようにすることが可能である。ストップ９４７は、レール９４６に沿って比較的等間隔でレール９４６に取り付けられ、システム８００、並びにより具体的には骨格８０４及び／又は接続具８０１が隣接し得る段部９４９を画定してもよい。また、ストップ９４７によって、プレス９４２の第１の方向への移動が防止されてもよい。ストップ９４７の代わりに、レール９４６は、システム８００又はプレス９４２が第１の方向に特定の点を越えて移動するのを防止するために、先細にされてもよい。
【００６１】
使用のためにアプリケータ９００を準備する場合には、プレス９４２は、レール９４６から取り外され、システム８００は、トラック９４４上に定置され、レール９４６のそれぞれは、接続具８０１のうちの１つに受容される。システム８００、及びより具体的には骨格８０４は、次いで骨格８０４及び／又は接続具８０１がストップ９４７に隣接するまで第１の方向に進む。骨格８０４及び／又は接続具８０１がストップ９４７に隣接することによって、骨格８０４は、骨格８０４の真下又は直下には支持体がなく、フレーム９４０の表面の上に懸垂されることが理解される。次いでプレス９４２は、レール９４６上に戻され、アプリケータ９００は、使用できる状態となる。
【００６２】
使用中、アプリケータ９００は、アプリケータ９００が図９Ａに図示される開いた状態で、目に向かって進む。本状態では、プレス９４２は、ユーザーがユーザーの睫毛をそれによって形成される空間内に配置し得るように、骨格８０４の表面８０８から離間する。次いでユーザーは、睫毛を空間内に定置し、睫毛を骨格８０４に対して下げる。次いでプレス９４２は、骨格８０４に対して力を印加するために、トラック９４４に沿って第１の方向に進められる。プレス９４２によって骨格８０４に印加される力は、骨格８０４及び／又は睫毛エクステンション８０２を睫毛に接着するのを助長し得る。
【００６３】
システム８００によっては、次いで睫毛エクステンション８０２は、骨格８０４と共に、又はそれを伴わずにアプリケータから取り外されてもよい。例えば、特定の実施形態によると、睫毛エクステンション８０２は、いったんプレス９４２が第１の方向とは反対の第２の方向に移動されると、睫毛エクステンション８０２を有する睫毛が取り外され、骨格８０４が取り外されて廃棄されるように、骨格８０４に解放可能に取り付けられてもよい。他の実施形態によると、また、骨格８０４は、睫毛に取り付けられてもよい。かかる実施形態によると、睫毛に取り付けられる骨格８０４の領域は、骨格８０４の接続具８０１を含む領域から分離されてもよい。例えば、システム８００は、アプリケータ９００から取り外されてもよく、次いで接続具８０１は、はさみのようなツールを使用することによって、手動で取り外されてもよく、又は骨格８０４は、弱化部分若しくは分割部を有して形成され、接続具８０１を含む骨格８０４の領域を引き裂くことができるようにしてもよい。弱化部分は、例えば、折り目付け又はミシン目を使用することによって形成されてもよい。
【００６４】
また、弱化部分が提供される場合、表面９４３が、骨格８０４によって画定される平面を通って第１の方向に進むように、プレス９４２の形状を画定することも可能であり得る。そうすることによって、プレス９４２は、骨格の弱化部分間の領域に力を印加し得る。プレス９４２によって印加される力は、かかる実施形態によると、骨格８０４の接続具８０１を含む領域を剪断し得る。表面９４３の縁部が先鋭化される場合、プレス９４２が骨格８０４の異なる領域を分離するための、骨格８０４上の弱化部分を画定する必要がない場合があることが理解される。
【００６５】
図１０は、アプリケータ９００に関する一変形を図示する。アプリケータ１０００によると、プレスは含まれていない。代わりに、アプリケータ１０００は、側部品１０４６が取り付けられたフレーム１０４０を含む。ストップ１０４７は、側部品１０４６上に位置し、接続具８０１は、システム８００が側部品１０４６間に懸垂されるように、側部品１０４６と協動する。プレスが含まれていないため、ユーザーは、睫毛と睫毛エクステンション８０２及び／又は骨格８０４との間がしっかりと取り付けられるようにするために、手動で圧力を睫毛に印加しなければならない場合がある。別の方法では、システムの動作（例えば、睫毛エクステンション８０２の骨格８０４からの分離、又は骨格８０４の領域の分離）は、アプリケータ９００に関して上述されるものと類似する。
【００６６】
上述されるように、骨格に取り付けられる睫毛エクステンションを有しない睫毛エクステンションシステムを画定することさえ可能であり得る。図１２Ａ〜図１２Ｂ及び図１３Ａ〜図１３Ｂに図示される本システムのためのアプリケータを有する、かかる一システムが図１１Ａ及び図１１Ｂに図示される。
【００６７】
システム１１００は、複数個の睫毛エクステンション１１０２を含む。しかしながら、骨格及びクロージャというよりはむしろ、システム１１００は、第１の部分１１０４及び第２の部分１１０６を有するヒンジ付ボックス１１０１を含む。
【００６８】
第１の部分１１０４は、睫毛エクステンション１１０２が配置されるホルダ１１０５を含む。睫毛エクステンション１１０２は、ホルダ１１０５内に特定の配向で配置されてもよく、その配向でホルダ１１０５に解放可能に取り付けられてもよい。しかしながら、また、睫毛エクステンション１１０２は、ホルダ１１０５に取り付けられなくてもよい。事実、ホルダ１１０５は、複数個の溝を含み、睫毛エクステンション１１０２のそれぞれが複数個の溝のうちの１つに配置されてもよい。
【００６９】
第２の部分１１０６は、接着剤のストリップ１１０７を含む。接着剤のストリップ１１０７は、接着剤をシステム１１００内に配置される睫毛及び／又は睫毛エクステンション１１０２に付着するように、及び睫毛を睫毛エクステンション１１０２に取り付けるように選択される。この目的を達成するために、第１の部分１１０４の対向する表面１１０９は、接着剤ストリップ１１０７がボックス１１０１の２つの部分１１０４、１１０６を互いに固定するのを防止するように、表面コーティングで処理されてもよい。あるいは、２つの部分１１０４、１１０６が互いに接着するのを制限又は防止するために、剥離紙が表面１１０９に取り付けられてもよい。
【００７０】
システム１１００は、システム１１００をアプリケータ１１１１、１１１３に対して設置するために、図１２Ａ〜図１２Ｂ及び図１３Ａ〜図１３Ｂに図示されるアプリケータ１２００と協動する連結具１１１１、１１１３を含む。連結具１１１１、１１１３は、様々な機構を含み得る。図示されるように、連結具１１１１、１１１３は、アプリケータの嵌合構造体に受容される半球形のノブであってもよい。システム１１００をアプリケータ１２００に取り付けるために、例えば、摩擦嵌めが形成され得る。あるいは、連結具１１１１、１１１３は、システム１１００及びアプリケータ１２００のいかなる取り付けもなく、単にシステム１１００がアプリケータ１２００に対して移動するのを制限し得る。
【００７１】
ここで、図１２Ａ〜図１２Ｂに示されるアプリケータ１２００を見ると、アプリケータ１２００は、長さに沿ってピン１２４５によって結合される、第１の足１２４１と、第２の足１２４３とを有する、はさみのようなフレーム１２４０を含む。それぞれの足１２４１、１２４３は、足１２４１、１２４３の一方の末端部１２５１、１２５３に配置される連結具１２４７、１２４９と、足１２４１、１２４３の他方の末端部１２５９、１２６１に配置される指つまみ１２５５、１２５７とを有し得る。連結具１２４７、１２４９は、システム１１００をアプリケータ１２００に確実に取り付け得る、又はシステム１１００がアプリケータ１２００に対して移動するのを制限するように、単に協動し得る。指つまみ１２５５、１２５７の互いに向かう方向、及び互いから離れる方向への移動は、システム１１００の第１の部分１１０４及び第２の部分１１０６に伝達され得る、末端部１２５１、１２５３の移動をもたらす。
【００７２】
図１２Ａに見られるように、システム１１００は、睫毛エクステンション１１０２が第１の部分１１０４と第２の部分１１０６との間に配置される、第１の状態にある。ボックス１１０１は、適用時まで第１の部分１１０４及び第２の部分１１０６をこの第１の状態に保持する、ラッチを含んでもよい。システム１１００は、連結具１１１１、１１１３が連結具１２４７、１２４９と協動し得るように、アプリケータ１２００に対して配置される。図示される実施形態によると、連結具１１１１、１１１３、１２４７、１２４９は、末端部１２５１、１２５３の移動が部分１１０４、１１０６に伝達されるように、確実な接続を形成する。
【００７３】
図１２Ｂに見られるように、指つまみ１２５５、１２５７は、末端部１２５１、１２５３が、図１２Ａに図示されるものより更に互いから離間するように、互いから離されている。末端部１２５１、１２５３の互いから離れる方向への移動は、部分１１０６を部分１１０４に対して移動させ、ボックス１１０１の内部にアクセスできるようにする。図示されるように、次いでシステム１１００は、システム１１００及びアプリケータ１２００が図１２Ａに図示される状態に戻る際に、睫毛が、表面１１０７と表面１１０９との間に配置されるように、少なくともボックス１１０１内まで進むことができるように、睫毛に向かって進められてもよい。
【００７４】
図１３Ａは、システム１１００が図１２Ａに図示される状態に戻った後の、システム１１００の上面図を図示する。睫毛は、睫毛エクステンション１１０２及び接着剤ストリップ１１０７と接触しており、それによって睫毛を睫毛エクステンション１１０２に取り付ける。システム１１００の図１３Ａに図示される状態と図１３Ｂに図示される状態との間での移動は、結果として睫毛及び取り付けられた睫毛エクステンション１１０２をボックス１１０１から引き出す。ボックス１１０１は、アプリケータ１２００から取り外されてもよく、ボックス１１０１は、廃棄されてもよい。
【００７５】
前述されるアプリケータのうちの１つ以上は、睫毛エクステンションシステムをユーザーの睫毛に定置するのを可視化するための装置又は機構の追加から利益を得る場合があることが理解される。２つのかかる可視化システムが図１４及び図１５Ａ〜図１５Ｂに図示される。これらのシステムは、例えば、図３Ａ及び図Ｂ、又は図９Ａ及び図９Ｂに図示されるものと類似するシステムに関連して図示される。しかしながら、図１４及び図１５Ａ〜図１５Ｂの装置及び機構は、本明細書に記載されるアプリケータのいずれかと共に使用され得ることが理解される。更に、図１４に図示される機構は、図１５Ａ及び図１５Ｂの機構と共に使用され得ることが理解される。
【００７６】
図１４に図示されるように、アプリケータ１４００は、下位部品１４４０と、上位部品１４４２とを含む。下位部品１４４０及び上位部品１４４２は、２つの側部品１４４６を使用して取り付けられる。上位部品１４４２は、下位部品１４４０及び上位部品１４４２が離間する第１の状態と、下位部品１４４０及び上位部品１４４２が隣接する第２の状態との間、又はその逆で、側部品１４４６に沿って移動し得る。あるいは、上位部品１４４２は、下位部品１４４０と上位部品１４４２との間での移動を制限するように、又は移動が生じないように、側部品１４４に固定して取り付けられてもよい。
【００７７】
１つ以上の光源１４４１が上位部品１４４２に取り付けられる。光源１４４１は、図１４に示されるように、下位部品１４４０の方向に光を向け、それによって、睫毛又は睫毛エクステンションの部分を照射する。睫毛及び／又は睫毛エクステンションの照射は、アプリケータ１４００のユーザーの睫毛に対する相対配置に関する可視指示をユーザーに提供し得る。可視指示は、ユーザーの睫毛及び睫毛エクステンション又はアプリケータ１４００を整合させる能力を向上し得る。あるいは、光源は、単に睫毛及び睫毛エクステンションシステムの可視性を改善するために使用され得る。
【００７８】
光源１４４１は、例えば、発光ダイオード、又はＬＥＤを使用して画定されてもよく、その場合、光源の電源及び光源１４４１をオン又はオフに切り替えるためのスイッチが含まれ得る。あるいは、ＬＥＤの代わりに小型電球が使用されてもよい。更なる代替手段として、混合される際に発光によって光を提供する２つの成分を混合するための壊れ易い分離部又は分割部を破壊することによって作動される、化学光源が使用されてもよい。また、他の代替手段も理解される。
【００７９】
図１５Ａ及び図１５Ｂは、睫毛及び／又は睫毛エクステンションを可視できるようにする鏡システムを提供するために、アプリケータ１５００の面する表面が鏡面化される、アプリケータ１５００を図示する。アプリケータ１５００は、上位部品１５７０と、下位部品１５７２とを有するフレーム１５４０を含む。部品１５７０、１５７２のそれぞれは、光が部品１５７０、１５７２の表面から反射され、睫毛が上位部品１５７０の下に配置されるのを可視できるようにし得るために、鏡面を有する。上位部品１５７０の表面からの像の反射は、図１５Ｂに図示されるように、下位部品１５７２からユーザーに面する別個の鏡に更に反射され得る。
【００８０】
また、上位部品１５７０は、睫毛エクステンションシステムのためのホルダとしての機能を果たし得、下位部品１５７２もまた同様であり得る。あるいは、骨格は、図９Ａ及び図９Ｂに図示されるように、部品１５７０と部品１５７２との間に懸垂されてもよい。睫毛エクステンションシステムの骨格が部品１５７０、１５７２のいずれかの上、又は部品１５７０と部品１５７２との間に配置される場合、骨格が透明な材料で作製されることは、有利であり得ることが理解される。
【００８１】
本明細書に開示されている寸法及び値は、列挙した正確な数値に厳しく制限されるものとして理解すべきではない。それよりむしろ、特に指定されない限り、各こうした寸法は、列挙された値とその値周辺の機能的に同等の範囲の両方を意味することを意図する。例えば、「４０ｍｍ」として開示される寸法は、「約４０ｍｍ」を意味するものとする。
【００８２】
「発明を実施するための形態」で引用した全ての文献は、関連部分において本明細書に参考として組み込まれるが、いずれの文献の引用も、それが本発明に関して先行技術であることを容認するものとして解釈すべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【００８３】
本発明の特定の諸実施形態を図示し、記載したが、本発明の趣旨及び範囲から逸脱することなく他の様々な変更及び修正を実施できることが当業者には自明である。したがって、本発明の範囲内にあるそのような全ての変更及び修正を添付の特許請求の範囲で扱うものとする。
【図１】
2011500979.tif 000003
【図２】
2011500979.tif 000004
【図３Ａ】
2011500979.tif 000005
【図３Ｂ】
2011500979.tif 000006
【図４Ａ】
2011500979.tif 000007
【図４Ｂ】
2011500979.tif 000008
【図４Ｃ】
2011500979.tif 000009
【図５Ａ】
2011500979.tif 000010
【図５Ｂ】
2011500979.tif 000011
【図６】
2011500979.tif 000012
【図７Ａ】
2011500979.tif 000013
【図７Ｂ】
2011500979.tif 000014
【図８】
2011500979.tif 000015
【図９Ａ】
2011500979.tif 000016
【図９Ｂ】
2011500979.tif 000017
【図１０】
2011500979.tif 000018
【図１１Ａ】
2011500979.tif 000019
【図１１Ｂ】
2011500979.tif 000020
【図１２Ａ】
2011500979.tif 000021
【図１２Ｂ】
2011500979.tif 000022
【図１３Ａ】
2011500979.tif 000023
【図１３Ｂ】
2011500979.tif 000024
【図１４】
2011500979.tif 000025
【図１５Ａ】
2011500979.tif 000026
【図１５Ｂ】
2011500979.tif 000027
【国際調査報告】
2011500979.tif 000028
2011500979.tif 000029